(57)【特許請求の範囲】
【請求項１】
被係止物を係止するフック本体と、
前面に嵌合凹部を有し前記フック本体の上端部に取り付けられる取付基板と、
前記取付基板の裏面に設けられる接着剤層と、
前記取付基板の嵌合凹部に嵌合可能な樹脂製の頭部の裏面にピンを突設してなる差込ピン体とを備えたフックにおいて、
少なくとも前記差込ピン体の頭部の前面を被覆する不透明な樹脂製のカバ−体を具備しており、前記カバ−体に前記取付基板の嵌合凹部の内周面とその嵌合凹部に嵌合された前記差込ピン体の頭部の外周面との間に形成される隙間に差し込み可能な差し込み部が設けられていると共に、前記取付基板と前記カバ−体の両者に、前記頭部の前面をカバ−体で被覆した状態で互いに係合する係合手段が設けられていることを特徴とするフック。
【発明の詳細な説明】
【０００１】
【発明の属する技術分野】
この発明は、コンクリート壁やブロック壁へ取付可能なフックに関する。
【０００２】
【従来の技術】
この種のフックの従来例を図１１に示す。このフック２１は、被係止物を係止するフック本体２２の上端部に取付基板２３が一体に設けられており、取付基板２３の裏面には両面テープなどからなる仮止め用の接着剤層２４が設けられている。取付基板２３は例えば樹脂製とされていて、基板前面から裏面に貫通する複数のピン挿通孔２５を有し、これらのピン挿通孔２５に取り付けのためのピン２６を挿通させる。
【０００３】
このフック２１を、例えばコンクリート壁１２に取り付ける場合、以下の手順で行われる。先ず、取付基板２３をその裏面の接着剤層２４を介してコンクリート壁１２に仮止めする。この仮止め状態のもとで、取付基板２３のピン挿通孔２５にピン２６を差し込み、ピン２６の頭部を直接叩くことによりピン２６をコンクリート壁１２に打ち込んで取付基板２３をコンクリート壁１２に固定する。
【０００４】
【発明が解決しようとする課題】
しかし、上記構成のフック２１の場合、ピン２６の頭部を直接叩いてピン２６をコンクリート壁１２に打ち込むので、ピン２６が曲がるなどして適正にフック２１を取り付けできないことがあった。
【０００５】
このような課題を解消して、コンクリート壁やブロック壁へ適正に取り付けられるフックがこの発明の出願人によってすでに提案されている（特願２００１−２５６６８９号）。
【０００６】
このフックは、図７〜図１０に示すように構成されている。これらの図において、フック１は、コンクリート壁やブロック壁に取り付けられるものであって、被係止物を係止するフック本体２と、このフック本体２の上端部に取り付けられる取付基板３と、この取付基板３の裏面に設けられる接着剤層４と、差込ピン体５とで構成されている。
【０００７】
フック本体２は、その下部がＵ字状に折り曲げられ、上端部には図９に示すように係合孔６が形成されている。取付基板３は、図８に示すように、外形を楕円状とした樹脂製品であって、その前面には外形と同心状に楕円形の嵌合凹部７が形成されている。また、取付基板３の裏面には、前記フック本体２の上端部が嵌合する嵌合溝８が、下端から上端近傍に向けて形成され、その嵌合溝８の一部にはフック本体２の係合孔６に係合する係合突起９が形成されている。前記係合突起９に前記係合孔６が係合する状態で、フック本体２の上端部を前記嵌合溝８に嵌合させることで、フック本体２の上端部に取付基板３が取り付けられ、この取付状態で取付基板３の裏面とフック本体２の背面とは面一に揃えられる。さらに、取付基板３の裏面には、ホットメルトからなる接着剤層４が設けられる。この接着剤層４と取付基板３とでフック本体２の上端部が挟まれることで、取付基板３に対してフック本体２は簡単に外れてしまわないように取り付けられる。
【０００８】
差込ピン体５は、前記取付基板３の嵌合凹部７に嵌合可能な外形楕円状の頭部１０と、この頭部１０に一体化され頭部１０の背面から突出する左右一対の金属製ピン１１，１１とからなる。前記頭部１０は樹脂製とされ、インサート成形により前記ピン１１が頭部１０に一体化されている。
【０００９】
前記構成の取付けは以下の手順で行われる。図１０において、先ず、取付基板３の裏面の接着剤層４をライターの火等で加熱溶融することで、接着剤層４を介して取付基板３をコンクリート壁１２に仮止めする。
次に、差込ピン体５のピン１１を取付基板３側に向けて、その差込ピン体５の頭部１０を取付基板３の嵌合凹部７に嵌合させるとともに、取付基板３に形成された差込ピン挿通孔１１Ａにピン１１を挿通させ、その頭部１０を叩いてピン１１をコンクリート壁１２に打ち込む。これにより、フック１がコンクリート壁１２に取り付けられる。
この場合、差込ピン体５の頭部１０が取付基板３の嵌合凹部７でガイドされるので、ピン１１の打ち込み時に、ピン１１が曲がることがなく、フック１の取り付けを適正に行うことができる。
【００１０】
ところが、前記構成のフック１であれば、差込ピン体５の頭部１０を叩いた場合、叩く条件のバラツキやコンクリート壁１２におけるピン１１の先端が初期当接する部位の硬度差などによって、設計値を超える荷重がピン１１に負荷され易い。このように、設計値を超える荷重がピン１１に負荷されると、その時の反力により頭部１０の前面にピン１１が露出したり、あるいは頭部１０の前面に叩痕が生じて、取り付け後の外観を低下させるおそれを有している。したがって、たとえピン１１が露出したり叩痕が生じることによって、取り付け後の外観が低下したとしても、その目視を遮って外観の低下を隠蔽するように構成することが必要であると考えられる。
【００１１】
この発明は、このような事情に鑑みてなされたもので、ピンの露出や叩痕などによって取り付け後の外観が低下したとしても、目視を遮って外観の低下を隠蔽することができるフックを提供することを目的とする。
【００１２】
【課題を解決するための手段】
この発明のフックは、被係止物を係止するフック本体と、
前面に嵌合凹部を有し前記フック本体の上端部に取り付けられる取付基板と、
前記取付基板の裏面に設けられる接着剤層と、
前記取付基板の嵌合凹部に嵌合可能な樹脂製の頭部の裏面にピンを突設してなる差込ピン体とを備えたフックにおいて、
少なくとも前記差込ピン体の頭部の前面を被覆する不透明な樹脂製のカバ−体を具備しており、前記カバ−体に前記取付基板の嵌合凹部の内周面とその嵌合凹部に嵌合された前記差込ピン体の頭部の外周面との間に形成される隙間に差し込み可能な差し込み部が設けられていると共に、前記取付基板と前記カバ−体の両者に、前記頭部の前面をカバ−体で被覆した状態で互いに係合する係合手段が設けられているものである。
この構成によると、少なくとも差込ピン体の前面をカバ−体で被覆し、差込ピン体前面の目視を遮って外観の低下を隠蔽することができる。
【００１３】
前記フックにおいて、前記カバ−体は樹脂製であるので、簡単に不透明性を保有させ得るとともに、簡単に成形することができる。
【００１４】
また、前記フックにおいて、前記カバ−体に前記取付基板の嵌合凹部の内周面と前記差込ピン体の外周面との間に形成される隙間に差し込み可能な差し込み部を設けてあり、隙間への異物や湿気の侵入を防止できるので、これら侵入物の影響によるピンの劣化を回避して、長期間にわたる適正な取付状態の保持に寄与することができる。
【００１５】
さらに、前記フックにおいて、前記取付基板と前記カバ−体の両者に、前記頭部の前面をカバ−体で被覆した状態で互いに係合する係合手段を設けてあるので、取付基板とカバ−体の相対移動を防止して、フック取り付け後の振動などの外因による自然発生的なカバ−体の位置ずれや脱落を確実に防止できる。
【００１６】
【発明の実施の形態】
【００１７】
以下、この発明の実施の形態を図面に基づいて説明する。なお、図７〜図１０で説明したフック１と同一部分には同一符号を付して、重複する構造の説明は省略する。図１はこの発明に係る一実施の形態を示す斜視図、図２はカバ−体による被覆状態を示す縦断面図である。
これらの図において、カバ−体３０は、差込ピン体５の頭部１０の前面を被覆するためのもので、前面被覆部３０Ａと、この前面被覆部３０Ａの周縁部から該前面被覆部３０Ａの後方に突出する環状の差し込み部３０Ｂとを備えたキャップ状の不透明な樹脂製品であって、取付基板３の楕円形の嵌合凹部７の内周面と差込ピン体５における頭部１０の外周面との間に形成される環状の隙間３１に環状の差し込み部３０Ｂを差し込むことが可能に外形を楕円状に成形してある。
【００１８】
したがって、図２のように、環状の差し込み部３０Ｂを環状の隙間３１に差し込むことで、差込ピン体５における頭部１０の前面をカバ−体３０で被覆することができる。このため、フック１をコンクリート壁１２に取り付けるのに際して、差込ピン体５の頭部１０を叩いた場合、叩く条件のバラツキやコンクリート壁１２におけるピン１１の先端が初期当接するコンクリート壁１２の硬度差などによって、設計値を超える荷重がピン１１に負荷されて、頭部１０の前面にピン１１が露出したり、あるいは頭部１０の前面に叩痕が生じることで、フック取り付け後の外観が低下したとしても、その目視をカバ−体３０の不透明な前面被覆部３０Ａで遮って外観の低下を隠蔽することができる。
【００１９】
カバ−体３０は樹脂製としているので、ピン１１の露出や叩痕の目視を遮るために必要な不透明性を簡単に保有させることができる。しかも、簡単に成形できるので安価に提供し得る。
【００２０】
また、カバ−体３０における環状の差し込み部３０Ｂが環状の隙間３１に差し込まれて被覆していることにより、環状の差し込み部３０Ｂで環状の隙間３１を埋めることができるので、環状の隙間３１へのゴミやホコリなどの異物や湿気の侵入を防止できる。したがって、酸性度の強い異物の影響による金属製ピン１１の壊食劣化や湿気の影響による金属製ピン１１の発錆劣化などを回避して、長期間にわたるフック１の適正な取付状態の保持に寄与することができる。また、環状の差し込み部３０Ｂを環状の隙間３１に差し込んでも、製作精度上のバラツキなどによって、環状の差し込み部３０Ｂで環状の隙間３１を適正に埋めることができず、したがって、未だ環状の隙間３１が僅かに残存したとしても、この残存している環状の隙間３１にゴミやホコリなどの異物や湿気が侵入するのを極力少なく制限して、前記の壊食劣化や発錆劣化などを遅延させることができる。
【００２１】
図３はこの発明の他の実施の形態を分解して示す斜視図である。この図において、カバ−体３０における環状の差し込み部３０Ｂには、周方向の間隔を隔てて複数の係合凹部３２が切欠され、取付基板３における嵌合凹部７の内面には、環状の差し込み部３０Ｂの係合凹部３２に係合可能な係合凸部３３を内側でかつ前面から後面方向に突出させて形成してあり、係合凹部３２と係合凸部３３との互いの係合によって係合手段３４を構成するようになっている。
【００２２】
前記構成において、環状の差し込み部３０Ｂを環状の隙間３１に差し込めば、図２と同様に差込ピン体５における頭部１０の前面をカバ−体３０で被覆することができるとともに、自動的に係合凹部３２と係合凸部３３が互いに係合して係合手段３４を構成し、互いに係合する係合凹部３２と係合凸部３３の間に取付基板３とカバ−体３０の相対移動を防止する作用が生じる。これにより、フック取り付け後の振動などの外因による自然発生的なカバ−体３０の位置ずれや脱落を防止することができるので、フック取り付け後において低下している外観が再度露呈する不都合を確実に防止できる。
【００２３】
なお、カバ−体３０の外形の設定は、取付基板３の嵌合凹部７や、これに嵌合可能な差込ピン体５の頭部１０の外形に律してなされるので、前記構成のような楕円形のみに限定されるものではない。
【００２４】
また、環状の差し込み部３０Ｂ側の係合凹部３２と、嵌合凹部７内面側の係合凸部３３との互いの係合によって係合手段３４を構成しているが、環状の差し込み部３０Ｂ側の係合凸部と、嵌合凹部７内面側の係合凹部との互いの係合によって係合手段３４を構成してもよい。
【００２５】
さらに、図４に示すように、カバ−体３０における環状の差し込み部３０Ｂには、周方向の間隔を隔てて複数の係合脚部３５を延設し、これら係合脚部３５の先端部と、嵌合凹部７の底部に凹設した凹部３６とを互いに係合させることによって、係合手段３４を構成してもよい。
【００２６】
また、図５に示すように、カバ−体３０の前面被覆部３０Ａに鍔部３７を張り出して設け、この鍔部３７によって取付基板３の前面を被覆した構成あるいは図６に示すように、鍔部３７の後面に突設した係合突起３８と、取付基板３の前面に形成した係合凹部３９とを互いに係合させることによって、係合手段３４を構成してもよい。
【００２７】
【発明の効果】
この発明のフックは、少なくとも差込ピン体の前面をカバ−体で被覆できるので、フックの取り付けに際して、取り付け後の外観を低下させたとしても、その目視を遮って外観の低下を隠蔽することができる。
また、カバ−体を樹脂製とした場合には、前記目視を遮るために必要な不透明性を簡単に保有させることができ、しかも、簡単かつ安価に成形することができる。
さらに、カバ−体に取付基板の嵌合凹部の内周面と差込ピン体の外周面との間に形成される隙間に差し込み可能な差し込み部を設けた場合には、隙間への異物や湿気の侵入を防止できるので、これら侵入物の影響によるピンの壊食劣化や発錆劣化などを回避して、長期間にわたるフックの適正な取付状態の保持に寄与することができる。
さらに、取付基板とカバ−体の両者に、該カバ−体の被覆状態で互いに係合する係合手段を設けた場合には、取付基板とカバ−体の相対移動を防止して、フック取り付け後の振動などの外因による自然発生的なカバ−体の位置ずれや脱落を防止できるので、フック取り付け後において低下している外観が再度露呈する不都合を確実に防止できる。
【図面の簡単な説明】
【図１】  この発明に係る一実施の形態を示す斜視図である。
【図２】  カバ−体による被覆状態を示す縦断面図である。
【図３】  この発明の他の実施の形態を分解して示す斜視図である。
【図４】  係合手段の第１変形例を示す縦断面図である。
【図５】  係合手段の第２変形例を示す縦断面図である。
【図６】  係合手段の第３変形例を示す縦断面図である。
【図７】  比較例の取付前の状態を示す部分破断側面図である。
【図８】  （Ａ）は比較例の取付基板の正面図、（Ｂ）はその縦断面図である。
【図９】  比較例のフック本体の正面図である。
【図１０】  （Ａ）は比較例のコンクリート壁への取付状態を示す正面図、（Ｂ）はその縦断面図、（Ｃ）はその縦断面図である。
【図１１】  （Ａ）は従来例の取付前の状態を示す斜視図、（Ｂ）はその取付状態を示す縦断面図である。
【符号の説明】
１  フック
２  フック本体
３  取付基板
４  接着剤層
５  差込ピン体
７  嵌合凹部
１０  頭部
１１  ピン
３０  カバー体
３０Ｂ  差し込み部
３１  隙間
３４  係合手段
【図１】
0003637539.tif 000002
【図２】
0003637539.tif 000003
【図３】
0003637539.tif 000004
【図４】
0003637539.tif 000005
【図５】
0003637539.tif 000006
【図６】
0003637539.tif 000007
【図７】
0003637539.tif 000008
【図８】
0003637539.tif 000009
【図９】
0003637539.tif 000010
【図１０】
0003637539.tif 000011
【図１１】
0003637539.tif 000012